(57)【特許請求の範囲】
【請求項１】
矩形の合成樹脂製フィルム生地を半折りすると共に、当該半折りされた生地の半折り線と平行の両縁部を、適宜幅にそれぞれ内側に折り返すことによって二つの折り部を形成し、当該両折り部を重合した状態において、
当該両折り部の折れ線に対して直角方向にずれる箇所に、当該折れ線と平行するように融着線を形成し、当該融着線中の一部は空気導通口として非融着状態で残すと共に、当該空気導通口に至っている融着線のそれぞれの端部は両折り部の折れ線に達するように直角に折り曲がる融着線として連続させることによって、当該融着線が空気導通口に対して対称的にＬ字状および逆Ｌ字状を呈するように設けて弁を形成し、さらに、生地を半折り線の線と平行に数回折り曲げ帯状となすと共に、当該生地を適宜幅とするようにその両側端部を融着切断したことを特徴とする合成樹脂製風船。
【発明の詳細な説明】
【技術分野】
【０００１】
本発明は、合成樹脂製風船に関し、殊に、特殊な弁構造を有する合成樹脂製風船に関するものである。
【背景技術】
【０００２】
従来より、合成樹脂製チューブを適当数折り畳み、その端部を熱融着することにより球形状の風船となす合成樹脂製風船が提供されている。（例えば、特許文献１や特許文献２。）
【０００３】
【特許文献１】実開平２-３２８９８
【特許文献２】実開平５-６５３９４
【発明の開示】
【発明が解決しようとする課題】
【０００４】
上記した如くの従来提供されている合成樹脂製風船は、筒状の空気吹き込み口が風船本体から突起した形状となっている。
【０００５】
したがって、風船に空気を吹き込んだ後、突起した空気吹き込み口の先端部を結ぶなどして風船内空気の封止を行うこととなる。
【０００６】
しかしながら、風船内に空気が満たされた状態で、空気吹き込み口を結ぶことは容易ではなく、その作業はわずらわしいものとなり、時としてその作業中に空気が漏れ、風船の形状を損なうこととなった。
【０００７】
また、結んだ空気吹き込み口が突起した風船は全体の形状として美観に欠くものとなり、殊に俵型状など球形体等の風船の形態として好ましくないものとなる。
【課題を解決するための手段】
【０００８】
本発明は上記の課題に鑑みなされたものであり、合成樹脂製風船において、 矩形の合成樹脂製フィルム生地を半折りすると共に、当該半折りされた生地の半折り線と平行の両縁部を、適宜幅にそれぞれ内側に折り返すことによって二つの折り部を形成し、当該両折り部を重合した状態において、
当該両折り部の折れ線に対して直角方向にずれる箇所に、当該折れ線と平行するように融着線を形成し、当該融着線中の一部は空気導通口として非融着状態で残すと共に、当該空気導通口に至っている融着線のそれぞれの端部は両折り部の折れ線に達するように直角に折り曲がる融着線として連続させることによって、当該融着線が空気導通口に対して対称的にＬ字状および逆Ｌ字状を呈するように設けて弁を形成し、さらに、生地を半折り線の線と平行に数回折り曲げ帯状となすと共に、当該生地を適宜幅とするようにその両側端部を融着切断したことを特徴とするものである。
【０００９】
本発明は上記のように構成されるので、弁の基本的構造は、内側に折り曲げられた両折り部が空気導通口を残し融着されている。
【００１０】
空気導通口から空気を入気させると、風船が球形状に膨張していく過程で、風船本体の外形をかたちどる外形フィルムが下部の折り部の下フィルムを押し上げ、その下フィルムが下部の折り部の上フィルムを押し上げる。
【００１１】
一方、上部の折り部は、風船が球形状に膨張していく過程で、両端部が左右に引っ張られることにより、いきおい上部折り部の上フィルムが上部折り部の下フィルムを押し下げることとなる。
【００１２】
以上の膨張過程により、上部の下フィルムと下部の上フィルムが上下の圧力、すなわち、上部折り部の下フィルムは上部折り部の上フィルムの押し下げる圧力と、下部折り部の上フィルムは下部折り部の下フィルムの押し上げる圧力により相互に密着し、これにより風船内に入気された空気の漏れを極めて効果的に封止することが可能となるのである。
【発明の効果】
【００１３】
本発明は、上記のように構成されるので以下の効果を奏するものである。
【００１４】
突起した空気吹き込み口を設けることなく弁を形成するため、風船の球形状を全く損なうことなく美観に優れる合成樹脂製風船を提供することが可能となり、空気吹き込み口を結ぶ煩わしい作業も不要となる。
【００１５】
弁のフィルムが密着し空気導通口からの空気漏れを防止し、風船の膨張状態を長期間維持することが可能となる。
【発明を実施するための最良の形態】
【００１６】
本発明の実施の形態を図面に基づき説明する。
【００１７】
図１〜図５は、本発明の実施例であり、図１は、本発明の実施例であって風船内に空気を入れた状態を示す斜視図、図２は、本発明の実施例であって空気を入れる前の状態を示す斜視図、図３は、本発明の実施例であって空気を入れる前の状態を示す断面図、図４は、斜視図本発明における風船内の空気圧力の方向を示した断面概念図、図５は、本発明を製造する過程を説明する図である。
【００１８】
本発明においては、合成樹脂製生地として、例えば厚さ０．０３〜０．５ｍｍ程度の軟質合成樹脂フィルムを使用することが好ましい。
【００１９】
以下、実施例の構成を図面に即して説明する。
【００２０】
フィルム生地は図５の（１）のように、Ｖ字状に半折りにされる。
【００２１】
つぎに、半折りされた生地を、図５の（２）のように、半折りされた生地の半折り線と平行の両縁部を適宜幅にそれぞれ内側に折り返す。これにより、生地の両縁部には二つの折り部が形成される。
【００２２】
つぎに、両折り部を重合し、図５の（３）のように、いずれか一方の面より折り部から空気導通口を非融着状態で残し、融着線が空気導通口に対して対称的にＬ字状および逆Ｌ字状を呈するように設けるものである。（図中の符号Ｘはかかる融着線をあらわす。）
【００２３】
これにより、両折り部間に両端部から開口される空気導通口が形成され、両折り部はシールされることになる。
【００２４】
以上により、本発明に係る合成樹脂製風船における弁が形成される。
【００２５】
つぎに、上記のように弁が形成された生地を、半折り線と平行に数回折り曲げ帯状とし、当該生地を適宜長さに両側端部を融着切断することにより（図中のＹはかかる融着切断部をあらわす）、本発明の合成樹脂製風船が完成する（図５の（４））。
【００２６】
なお、ここでの生地の折り畳み回数ならびに長さは、入気して膨張した風船の形状に応じて適宜選択可能である。
【００２７】
図３は、本発明の実施例であって空気を入れる前の状態を示す図であり、弁を形成した生地を２回折り畳んで帯状とした各層を示した図である
以下に、風船内に空気を入れる過程において、本発明の弁の作用を説明する。
【００２８】
空気導通口より細径のストローなどを挿入し、ストロー先端から空気を吹き込むことにより風船内に空気を入れる。
【００２９】
空気導通口から空気を入気させると、風船が球形状に膨張していく過程で、風船本体の外形をかたちどる外形フィルム（第５フィルム：図３の符号５）が下部の折部の下フィルム（第４フィルム：図３の符合４）を押し上げ、その下フィルムが下部折り部の上フィルム（第３フィルム：図３の符号３）を押し上げる（図４の上方矢印を参照）。
【００３０】
一方、上部の折部は、風船が球形状に膨張していく過程で、両端部が左右に引っ張られることにより（図４の左右下方矢印を参照）、いきおい上部折り部の上フィルム(第１フィルム：図３の符号１)が上部折り部の下フィルム（第２フィルム：図３の符号２）を押し下げることとなる（図４の上部下方矢印を参照）。
【００３１】
以上の膨張過程により、上部折り部の第２フィルム（２）と下部の折り部の第３フィルム（３）が上下の圧力、すなわち、上部折り部の第２フィルム（２）は上部折り部の第１フィルム（１）の押し下げる圧力と、下部折り部の第３フィルム（３）は下部折り部の第４フィルム（４）の押し上げる圧力により相互に密着し、これにより空気導通口を閉止し、風船内に入気された空気の漏れを極めて効果的に封止することが可能となる。
【００３２】
なお、本発明においては、空気導通口の幅を適宜変更することが可能となるが、その幅をやや広めに形成させることにより、入気前に例えばビー玉などを風船内に挿入することが可能となり、各種ニーズにあわせた個性豊かな風船を提供することも出来る。
【図面の簡単な説明】
【００３３】
【図１】本発明の実施例であって風船内に空気を入れた状態を示す斜視図。
【図２】本発明の実施例であって空気を入れる前の状態を示す斜視図。
【図３】本発明の実施例であって空気を入れる前の状態を示す図。
【図４】本発明における風船内の空気圧力の方向を示した概念図。
【図５】本発明を製造する過程を説明する図。
【符号の説明】
【００３４】
１  第１フィルム
２  第２フィルム
３  第３フィルム
４  第４フィルム
５  第５フィルム
Ｅ  空気導通口
Ａ  折り部
Ａ’折り部
Ｘ  融着部
Ｙ  融着切断部
【図１】
0003828893.tif 000002
【図２】
0003828893.tif 000003
【図３】
0003828893.tif 000004
【図４】
0003828893.tif 000005
【図５】
0003828893.tif 000006